(57)【要約】      （修正有）【課題】室外でも使える携帯可能なドリンクサーバーを提供する。【解決手段】タンク１０と、内胴部材と、蓋３０と、調整プレート４０とを備え、タンク１０は、保冷材質からなり、内部に収容空間が形成され、内胴部材は、着脱可能にタンク１０の収容空間に取り付けられ、金属材質の胴体及びキャップを備え、キャップの外周面の底部に複数の流れ口が間隔をおいて形成され、蓋３０は、タンク１０の上部開口に取り付けられ、蓋本体及び係合リングを備え、調整プレート４０は、首部と、首部の上部に一体成形される円盤体と、円盤体上に間隔をおいて形成される複数のフィンとを備えるため、使用する時に、その保冷材質のタンク１０によって、内胴部材を低温に維持すると共に、使用者が調整プレート４０のフィンを回して調整プレート４０を内胴部材のキャップから離間させると、内胴部材の内部のドリンクを流れ口を介して流出させることができる。【選択図】図１
0003193563.tif 000002
【実用新案登録請求の範囲】
【請求項１】
上部に開口が形成され、内部に開口と連通する収容空間が形成され、保冷材質からなるタンクと、
前記タンクの開口に取り付けられ、胴体及びキャップを有し、該胴体が、金属材質からなり、着脱可能にタンクの収容空間に設置され、上部に開口が形成され、該キャップが、中心に上下貫通の流れ穴が形成され、該流れ穴の内径が異なる段階状を呈し、該キャップの外周面の底部に間隔をおいて複数の流れ口が形成される内胴部材と、
蓋本体及び係合リングを有し、該蓋本体の中心に取付穴が形成され、該係合リングが取付穴に取り付けられ、中心に貫通孔が形成され、該貫通孔の上部周縁に蓋部凸縁が延設され、また、該蓋本体が前記タンクの開口に取り付けられ、係合リングの蓋部凸縁がキャップに当接される蓋と、
首部と、円盤体と、複数のフィンとを有し、該首部が上下方向に延出する中空の柱体であり、中段の外周面に漏れ止め部が凸設され、該漏れ止め部の外周面に漏れ止めリングが環設され、該円盤体が、円盤状を呈し、漏れ止め部の上方に位置するように、首部の上部に一体成形に延設され、上面に凹み状の回転凹部が形成され、該複数のフィンがそれぞれ間隔をおいて環状に回転凹部に配列される調整プレートと、を備え、
さらに、前記調整プレートが係合リングの貫通孔を通過して首部によってキャップの内周面に取り付けられ、漏れ止め部がキャップの上部と当接され、漏れ止めリングがキャップの内周面と当接されることを特徴とする携帯型ドリンクサーバー。
【請求項２】
前記調整プレートの首部は、上下方向に延出するテーパー状の中空の柱体であり、該首部の中心に上下貫通の組合穴が形成され、該組合穴に詰め部材が着脱可能に取り付けられることを特徴とする請求項１に記載の携帯型ドリンクサーバー。
【請求項３】
前記キャップは、メインリングと、サブリングと、ミニリングとを備え、
該メインリングは、円環状を呈し、
該サブリングは、円筒状を呈し、メインリングと一体成形するようにその底部から延設され、直径がメインリングの直径より小さくし、外周面の底部に間隔をおいて前記複数の流れ口が形成され、
該ミニリングは、中空の円筒状を呈し、サブリングと一体成形するように、その底部に延設され、直径がサブリングの直径より小さくすることを特徴とする請求項２に記載の携帯型ドリンクサーバー。
【請求項４】
前記調整プレートの漏れ止め部の下部に連結タブが延設され、該連結タブの下部に舌部が延設され、該連結タブの内径が舌部の内径より小さくすることで、該舌部と連結タブとの間に肩部が設けられ、該舌部及び連結タブの外周面に複数のスリットが間隔をおいて環状に配列され、
頭部及び管部を有し、該頭部が調整プレートの肩部の上方に位置し、直径が肩部の内径より大きくし、該管部が頭部の中央下部から延設され、キャップのミニリングに取り付けられる止め部材を備えることを特徴とする請求項３に記載の携帯型ドリンクサーバー。
【請求項５】
前記キャップのメインリングの上縁部にキャップ凸縁が延設され、該キャップ凸縁の上部に当接縁部が径方向の外側に延設され、該キャップ凸縁の外径がメインリングの内径より大きくし、
前記係合リングの蓋部凸縁の内径がキャップ凸縁の内径と同一であり、該蓋部凸縁がキャップの当接縁部に当接されることを特徴とする請求項４に記載の携帯型ドリンクサーバー。
【請求項６】
前記調整プレートの組合穴にねじ山が形成され、
前記詰め部材の外周面の上部近傍に漏れ止めリングが環設され、該漏れ止めリングが組合穴の内周面に当接しながらねじ山に螺合されること特徴をとする請求項５に記載の携帯型ドリンクサーバー。
【考案の詳細な説明】
【技術分野】
【０００１】
本考案は、特に携帯可能なドリンクサーバーに関するものである。
【背景技術】
【０００２】
暑い夏に冷たいお茶や、炭酸水、ビールなどのドリンクを飲むには最高である。また、パーティーや祭りなどのイベントが室外で開催された時に、いつでも冷たいビールが飲めるために、携帯型ドリンクサーバーが必要である。しかしながら、既存のドリンクサーバーは、通常、金属材質またはプラスチック材質からなり、外部からの熱を吸収しやすいため、ドリンクをいつも低温に維持することが難しくて温度が上がる。その暑い夏には、ドリンクが冷たくならないと、美味しくならない。なお、既存の低温冷却技術によって、ドリンクを冷やすこともできるが、その冷却設備が複雑でタンクに取り付けることが面倒であった。
【考案の概要】
【考案が解決しようとする課題】
【０００３】
既存のドリンクサーバーは、室外でイベントなどを開催する時によく使われ、金属材質またはプラスチック材質からなるため、外部からの熱を吸収しやすく、内部の温度がすぐ上がり、ドリンクを低温に維持し難く、何時でも冷たいドリンクを提供することができない。また、既存の低温冷却技術によって、ドリンクを冷やすことができるが、その冷却設備が複雑でタンクに取り付けるのも面倒で、使用上、利便性が低い。
【課題を解決するための手段】
【０００４】
本考案に係る携帯型ドリンクサーバーは、上部に開口が形成され、内部に開口と連通する収容空間が形成され、保冷材質からなるタンクと、前記タンクの開口に取り付けられ、胴体及びキャップを有し、該胴体が、金属材質からなり、着脱可能にタンクの収容空間に設置され、上部に開口が形成され、該キャップが、中心に上下貫通の流れ穴が形成され、該流れ穴の内径が異なる段階状を呈し、該キャップの外周面の底部に間隔をおいて複数の流れ口が形成される内胴部材と、蓋本体及び係合リングを備え、該蓋本体の中心に取付穴が形成され、該係合リングが取付穴に取り付けられ、中心に貫通孔が形成され、該貫通孔の上部周縁に蓋部凸縁が延設され、また、該蓋本体が前記タンクの開口に取り付けられ、係合リングの蓋部凸縁がキャップに当接される蓋と、首部と、円盤体と、複数のフィンとを備え、該首部が上下方向に延出する中空の柱体であり、中段の外周面に漏れ止め部が凸設され、該漏れ止め部の外周面に漏れ止めリングが環設され、該円盤体が、円盤状を呈し、漏れ止め部の上方に位置するように、首部の上部に一体成形に延設され、上面に凹み状の回転凹部が形成され、該複数のフィンがそれぞれ間隔をおいて環状に回転凹部に配列される調整プレートと、を備え、さらに、前記調整プレートが係合リングの貫通孔を通過して首部によってキャップの内周面に取り付けられ、漏れ止め部がキャップの上部と当接され、漏れ止めリングがキャップの内周面と当接されるものである。
【０００５】
かかる携帯型ドリンクサーバーにおいて、前記調整プレートの首部は、上下方向に延出するテーパー状の中空の柱体であり、該首部の中心に上下貫通の組合穴が形成され、該組合穴に詰め部材が着脱可能に取り付けられることが好ましい。
【０００６】
かかる携帯型ドリンクサーバーにおいて、前記キャップは、メインリングと、サブリングと、ミニリングとを備え、該メインリングは、円環状を呈し、該サブリングは、円筒状を呈し、メインリングと一体成形するようにその底部から延設され、直径がメインリングの直径より小さくし、外周面の底部に間隔をおいて前記複数の流れ口が形成され、該ミニリングは、中空の円筒状を呈し、サブリングと一体成形するように、その底部に延設され、直径がサブリングの直径より小さくすることが好ましい。
【０００７】
かかる携帯型ドリンクサーバーにおいて、前記調整プレートの漏れ止め部の下部に連結タブが延設され、該連結タブの下部に舌部が延設され、該連結タブの内径が舌部の内径より小さくすることで、該舌部と連結タブとの間に肩部が設けられ、該舌部及び連結タブの外周面に複数のスリットが間隔をおいて環状に配列され、頭部及び管部を有し、該頭部が調整プレートの肩部の上方に位置し、直径が肩部の内径より大きくし、該管部が頭部の中央下部から延設され、キャップのミニリングに取り付けられる止め部材を備えることが好ましい。
【０００８】
かかる携帯型ドリンクサーバーにおいて、前記キャップのメインリングの上縁部にキャップ凸縁が延設され、該キャップ凸縁の上部に当接縁部が径方向の外側に延設され、該キャップ凸縁の外径がメインリングの内径より大きくし、前記係合リングの蓋部凸縁の内径がキャップ凸縁の内径と同一であり、該蓋部凸縁がキャップの当接縁部に当接されることが好ましい。
【０００９】
かかる携帯型ドリンクサーバーにおいて、前記調整プレートの組合穴にねじ山が形成され、前記詰め部材の外周面の上部近傍に漏れ止めリングが環設され、該漏れ止めリングが組合穴の内周面に当接しながらねじ山に螺合されることが好ましい。
【考案の効果】
【００１０】
上述した構造を有することため、本考案に係る携帯型ドリンクサーバーは、以下のメリットを提供できる。
１．その蓋をタンクに組み合わせると、内部の内胴部材を密封して長時間も低温に維持することができる。また、その内胴部材が金属からなるので、内胴部材をタンクから取り外して冷蔵庫に入れて冷却することも可能である。室外でパーティーや祭りなどのイベントを開催する時には、その内胴部材を冷蔵庫から再び取り出してタンクに組み合わせれば、簡単に冷たいドリンクを提供できる。
２．また、その蓋及びタンクは、保冷材質からなるため、外部からの熱を遮断効果を有し、内部の内胴部材を低温に維持させ、冷たいドリンクを提供する。
３．一方、その内胴部材のドリンクを飲みきれない場合には、その内胴部材をタンクから取り外して直接に冷蔵庫に入れ、ドリンクを保存することができ、使用上、非常に便利である。
４．さらに、本考案に係る携帯型ドリンクサーバーは、調整プレートを備えるため、ドリンクの容量によって調整プレートを自由に調整し、適当なスピードでドリンクを流出させる。
【図面の簡単な説明】
【００１１】
【図１】本考案に係る携帯型ドリンクサーバーの斜視図である。
【図２】本考案に係る携帯型ドリンクサーバーの分解斜視図である。
【図３】本考案に係る携帯型ドリンクサーバーの断面図である。
【図４】本考案に係る携帯型ドリンクサーバーの部分拡大断面図である。
【図５】本考案に係る携帯型ドリンクサーバーの部分分解斜視図である。
【図６】本考案に係る携帯型ドリンクサーバーにおいて、各部材を取り付ける操作を示す部分拡大断面図である。
【図７】本考案に係る携帯型ドリンクサーバーにおいて、各部材を取り付けた状態を示す部分拡大断面図である。
【図８】本考案に係る携帯型ドリンクサーバーにおいて、ドリンクを注ぐ状態を示す部分拡大断面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図４に示すように、本考案に係る携帯型ドリンクサーバーは、タンク１０と、内胴部材２０と、蓋３０と、調整プレート４０と、止め部材５０と、詰め部材６０とを有する。
【００１４】
図１及び図２に示すように、前記タンク１０は、保冷材質からなり、円筒状の容器であり、外部に殻体１１が取り付けられ、上部に開口１０１が形成され、内部に開口１０１と連通する収容空間１０２が形成され、内周面における開口１０１近傍にねじ山１０３が形成され、該殻体１１の外周面に取っ手１０４が取り付けられ、使用者が取っ手１０４を持ってドリンクサーバーを運ぶことができる。
【００１５】
図２及び図３に示すように、前記内胴部材２０は、タンク１０の開口１０１に取り付けられ、胴体２１及びキャップ２２を備え、該胴体２１は、金属材質からなる容器であり、着脱可能にタンク１０の収容空間１０２に設置され、上部に開口２１１が形成され、お茶や、ソーダ、ビールなどのドリンクを、該開口２１１を介して内胴部材２０に入れることができる。
【００１６】
図２及び図４に示すように、該キャップ２２は、中心に内径が異なる段階状且つ上下貫通の流れ穴２２０が形成され、メインリング２２１と、サブリング２２２と、ミニリング２２３と、キャップ凸縁２２４とを備え、その内、該メインリング２２１は、円環状を呈し、内周面に第一ねじ部２２１０が形成され、該サブリング２２２は、円筒状を呈し、メインリング２２１と一体成形するようにその底部から延設され、直径もメインリング２２１の直径より小さくし、外周面の底部に間隔をおいて複数の流れ口２２２０が形成される。該ミニリング２２３は、中空の円筒状を呈し、サブリング２２２と一体成形するように、その底部に延設され、直径がサブリング２２２の直径より小さくし、内周面に第二ねじ部２２３０が形成される。該キャップ凸縁２２４は、メインリング２２１と一体成形するように、その上縁部から延設され、該キャップ凸縁２２４の上部に当接縁部２２４０が径方向の外側に延設され、その外径がメインリング２２１の内径より大きくする。そのキャップ２２を取り付ける時に、サブリング２２２が開口２１１に組み合わせてミニリング２２３を胴体２１の内部に突出する。
【００１７】
図３及び図４に示すように、前記蓋３０は、蓋本体３１及び係合リング３２を備え、該蓋本体３１の中心に取付穴３１１が形成され、該取付穴３１１は、ねじ穴であり、該係合リング３２は、取付穴３１１に螺合され、中心に内径が当接縁部２２４０の外径と同一である貫通孔３２１が形成され、該貫通孔３２１の上部周縁に蓋部凸縁３２２が径方向の外側へ延設され、該蓋部凸縁３２２の内径がキャップ凸縁２２４の内径と同一である。該蓋３０の蓋本体３１がタンク１０のねじ山１０３に螺合され、係合リング３２の蓋部凸縁３２２がキャップ２２の当接縁部２２４０に当接される。
【００１８】
図２及び図４に示すように、前記調整プレート４０は、首部４１と、円盤体４２と、複数のフィン４３とを備え、その内、該首部４１は、上下方向に延出する中空の柱体であり、テーパー状を呈し、その直径が下方から上方へ向けて次第に小さくし、該首部４１の中段の外周面に漏れ止め部４１１が凸設され、該漏れ止め部４１１は、円環状を呈し、外周面の中間に環状溝が凹設され、該漏れ止め部４１１の環状溝に漏れ止めリング４１２が環設され、該漏れ止め部４１１の下部に連結タブ４１３が延設され、該連結タブ４１３の外周面にねじ山が形成され、該連結タブ４１３の下部に舌部４１４が延設され、該連結タブ４１３の内径が舌部４１４の内径より小さくするので、該舌部４１４と連結タブ４１３との間に肩部４１５が設けられ、また、該舌部４１４及び連結タブ４１３の外周面に複数のスリット４１６が間隔をおいて環状に配列するように形成され、該首部４１の中心に上下貫通の組合穴４１７が形成され、該組合穴４１７にねじ山４１８が形成される。前記円盤体４２は、円盤状を呈し、漏れ止め部４１１の上方に位置するように、首部４１の上部に一体成形に延設され、上面に凹み状の回転凹部４２１が形成され、それらのフィン４３は、首部４１の中心を円心とするように、それぞれ間隔をおいて環状に回転凹部４２１に配列される。
【００１９】
その調整プレート４０を係合リング３２に組み合わせる時に、そのフィン４３をまわして円盤体４２を回転させると、連結タブ４１３がキャップ２２の第一ねじ部２２１０に螺合し、漏れ止め部４１１がキャップ２２のキャップ凸縁２２４と当接すると共に、漏れ止めリング４１２がキャップ凸縁２２４の内周面と当接する状態になるまで組み合わせられれば、内胴部材２０内部の液体を流出することはない。
【００２０】
図２及び図４に示すように、前記止め部材５０は、頭部５１及び管部５２を備え、該頭部５１は、円盤状を呈し、上部に凹部５１１が形成され、調整プレート４０の肩部４１５の上方に位置し、直径が肩部４１５の内径より大きくし、該管部５２は、頭部５１の中央下部から延設され、円管状を呈し、外周面に複数の細長状のリブ５２１が設けられ、該管部５２の底部に環状のねじ部５２２が設けられる。その止め部材５０を調整プレート４０の組合穴４１７に組み合わせる時に、ねじ部５２２を介してキャップ２２の第二ねじ部２２３０に螺合し、止め部材５０をキャップ２２に取り付ける。一方、その止め部材５０がキャップ２２に取り付けられるため、調整プレート４０を回して上方へ移動させる時に、調整プレート４０の肩部４１５が止め部材５０の頭部５１の底面に当接することで、止め部材５０によって調整プレート４０を止めてさらに上方へ移動することができない。
【００２１】
図２及び図４に示すように、前記詰め部材６０は、着脱可能かつ回転可能に調整プレート４０に組み合わせられ、外周面の上部近傍に漏れ止めリング６１が環設され、該漏れ止めリング６１は、組合穴４１７の内周面に当接してねじ山４１８に螺合される。その詰め部材６０及び漏れ止めリング６１を有すれば、内胴部材２０内部の液体が組合穴４１７から漏れることはない。
【００２２】
図５及び図６に示すように、本考案に係る携帯型ドリンクサーバーを使用する時に、まずお茶や、炭酸水、ビールなどのドリンクを内胴部材２０のキャップ２２を介して胴体２１に充填し、そして、内胴部材２０をタンク１０の収容空間１０２に挿し入れ、係合リング３２がキャップ２２を押し詰めるように、蓋３０を上方からキャップ２２に螺合する。また、調整プレート４０を係合リング３２を通過してキャップ２２に螺合すると共に、詰め部材６０を調整プレート４０に詰めることによって、ドリンクサーバーを密封することができる。
【００２３】
本考案に係る携帯型ドリンクサーバーにおける、内胴部材２０は金属材質からなるが、タンク１０及び蓋３０は保冷材質からなるので、長時間も低温保持することができる。ドリンクサーバーを室内に放置している時に、その内部のドリンクを腐敗しないように、内胴部材２０をタンク１０から取り出して冷蔵庫に入れることも可能であるので、ドリンクの品質を守ることができる。また、室外でパーティーまたはイベントを開催する時に、冷蔵庫から内胴部材２０を取り出してタンク１０に組み合わせると、内胴部材２０を室外に運んで冷えたドリンクを飲むことができる。さらに、その内胴部材２０が直接に室外の暑い空気と接触しないので、温度が上昇しにくく、ドリンクを低温に保存することができる。
【００２４】
図７及び図８に示すように、本考案の携帯型ドリンクサーバーを使用する時に、その調整プレート４０を回してやや上方へ移動させて、漏れ止め部４１１及び漏れ止めリング４１２をキャップ２２のキャップ凸縁２２４から離反すると、流れ穴２２０が外部と連通するようになり、ドリンクを流出することができる。この時、使用者がタンク１０を斜めにして内胴部材２０を傾斜状に倒すと、そのドリンクがキャップ２２の流れ口２２２０を通過してスリット４１６を介して流れ穴２２０から流出し、コップなどの容器に注ぐことができる。また、その調整プレート４０をドリンクの容量によって自由に上下に調整することができ、例えば、その調整プレート４０の肩部４１５を止め部材５０に当接するように最も上方に移動させると、ドリンクを大量に流出することができる。また、その止め部材５０を有するため、調整プレート４０を最も上方に移動しても止め部材５０に止められてキャップ２２から脱出することはない。
【００２５】
本考案の携帯型ドリンクサーバーは、ドリンクに低温保存の効果を提供すると共に、使用する後にも内胴部材２０をタンク１０から取り外して再利用することができる。また、調整プレート４０を回して上下調整可能であるため、ドリンクの容量によって使用者が自由に操作しやすく、ドリンクを飲みきれない場合にも、内胴部材２０をタンク１０から取り外して冷蔵庫に入れてドンリンクを冷やすこともでき、使用上、非常に便利である。
【符号の説明】
【００２６】
１０  タンク
１１  殻体
１０１  開口
１０２  収容空間
１０３  ねじ山
１０４  取っ手
２０  内胴部材
２１  胴体
２２  キャップ
２１１  開口
２２  キャップ
２２０  流れ穴
２２１  メインリング
２２１０  第一ねじ部
２２２  サブリング
２２２０  流れ口
２２３  ミニリング
２２３０  第二ねじ部
２２４  キャップ凸縁
２２４０  当接縁部
３０  蓋
３１  蓋本体
３１１  取付穴
３２  係合リング
３２１  貫通孔
３２２  蓋部凸縁
４０  調整プレート
４１  首部
４１１  漏れ止め部
４１２  漏れ止めリング
４１３  連結タブ
４１４  舌部
４１５  肩部
４１６  スリット
４１７  組合穴
４１８  ねじ山
４２  円盤体
４２１  回転凹部
４３  フィン
５０  止め部材
５１  頭部
５１１  凹部
５２  管部
５２１  リブ
５２２  ねじ部
６０  詰め部材
６１  漏れ止めリング
【図１】
0003193563.tif 000003
【図２】
0003193563.tif 000004
【図３】
0003193563.tif 000005
【図４】
0003193563.tif 000006
【図５】
0003193563.tif 000007
【図６】
0003193563.tif 000008
【図７】
0003193563.tif 000009
【図８】
0003193563.tif 000010